(57)【要約】      （修正有）【課題】複数の挿入角度のうち任意の挿入角度で骨プレートの開口部に挿入される多軸固定具を提供する。【解決手段】多軸固定具１２のヘッド１４が変形可能部分を有している。固定具が骨プレートの開口部に挿入された場合に、開口部内に位置するネジ部が変形可能部分を変形させ、これにより固定具が所望の角度で開口部内の所定位置に固定される。また、固定具のヘッドが、骨プレートをその下に位置する組織に対して移動させるために、開口部の一部分に当接している底部分３２を含んでいる。固定部材又は他の構造体がヘッドと変形可能部分との界面において傾斜可能とされ、これにより変形可能部分をヘッドに固定することができる。少なくとも１つのフルートが、変形可能部分に切り込むためにネジ部を開口部に引き込む変形可能部分上で傾斜可能とされる。【選択図】図１
2015180258.tif 000002
【特許請求の範囲】
【請求項１】
骨と係合するための固定具であって、
骨係合部分と、
ヘッド部分と、
前記ヘッド部分に接触している変形可能部分であって、前記固定具が安定化構造部の１つ以上の固定具係合構造部に係合した場合に変形する材料を含んでいる前記変形可能部分と、
非摩擦成分を含む力によって前記ヘッド部分と接触した状態で前記変形可能部分を保持する保持構造部と、
を備えていることを特徴とする固定具。
【請求項２】
前記変形可能部分が、ポリエーテルエーテルケトン、ポリエーテルケトンケトン、自己強化ポリフェニレン、ポリフェニルスルホン、ポリスルホン、ポリエチレン、超高分子量ポリエチレン、炭素複合材、吸収性ポリ乳酸、ポリグリコール酸のうち少なくとも１つを含んでいることを特徴とする請求項１に記載の固定具。
【請求項３】
前記保持構造部が、粗い表面テクスチャ、突出部、表面形状、前記ヘッド部分に形成されたボア、及び前記ヘッド部分に形成された貫通穴のうち少なくとも１つを含んでいることを特徴とする請求項１に記載の固定具。
【請求項４】
前記保持構造部が、前記ヘッド部分に形成されたボア及び貫通穴のうち少なくとも１つを備えており、前記固定具の外面に形成されたボアが前記ヘッド部分に形成された前記ボア及び前記貫通穴のうち少なくとも１つと交差しているように前記固定具の前記外面に形成された前記ボアを備えていることを特徴とする請求項１に記載の固定具。
【請求項５】
前記変形可能部分が、前記ヘッド部分に形成された前記ボア及び前記貫通穴のうち少なくとも１つの内部に延在しており、
前記変形可能部分が、前記固定具の前記外面に形成された前記ボアに対して露出していることを特徴とする請求項４に記載の固定具。
【請求項６】
前記変形可能部分が、前記変形可能部分の外面に形成された少なくとも１つのフルートを含んでいることを特徴とする請求項１に記載の固定具。
【請求項７】
前記変形可能部分と前記骨係合部分との間に配置されている球状の外面部分を備えていることを特徴とする請求項１に記載の固定具。
【請求項８】
前記骨係合部分が、滑らかなシャフト、ネジ付シャフト、ヘリカルブレード、タック、展開可能なかぎ爪、及び膨張要素のうち少なくとも１つを備えていることを特徴とする請求項１に記載の固定具。
【請求項９】
固定具を製造するための方法において、
骨係合部分を形成するステップと、
ヘッド部分を形成するステップと、
変形可能部分を前記ヘッド部分と接触させるステップと、
非摩擦成分を含む力によって前記ヘッド部分と接触した状態で前記変形可能部分を保持する保持構造部を準備するステップと、
を備えていることを特徴とする方法。
【請求項１０】
前記変形可能部分が、ポリエーテルエーテルケトン、ポリエーテルケトンケトン、自己強化ポリフェニレン、ポリフェニルスルホン、ポリスルホン、ポリエチレン、超高分子量ポリエチレン、炭素複合材、吸収性ポリ乳酸、ポリグリコール酸のうち少なくとも１つを含んでいることを特徴とする請求項９に記載の方法。
【請求項１１】
前記保持構造部を準備するステップが、粗い表面テクスチャ、突出部、表面形状、前記固定具の前記ヘッド部分に形成されたボア、及び前記固定具の前記ヘッド部分に形成された貫通穴のうち少なくとも１つを形成するステップを備えていることを特徴とする請求項９に記載の方法。
【請求項１２】
前記保持構造部を準備するステップが、前記ヘッド部に形成されたボア及び貫通穴のうち少なくとも１つを形成する工程と、前記固定具の外面に形成されたボアが前記ヘッド部分に形成された前記ボア及び前記貫通穴のうち少なくとも１つと交差しているように、前記固定具の前記外面に前記ボアを形成するステップとを備えていることを特徴とする請求項９に記載の方法。
【請求項１３】
前記変形可能部分が、前記ヘッド部分に形成された前記ボア及び前記貫通穴のうち少なくとも１つの内部に延在しており、
前記変形可能部分が、前記固定具の前記外面に形成された前記ボアに対して露出していることを特徴とする請求項１２に記載の固定具。
【請求項１４】
前記変形可能部分と前記骨係合部分との間に球状の外面部分を形成するステップを備えていることを特徴とする請求項９に記載の方法。
【請求項１５】
前記骨係合部分を形成するステップが、滑らかなシャフト、ネジ付シャフト、ヘリカルブレード、タック、展開可能なかぎ爪、及び膨張要素のうち少なくとも１つを形成するステップを備えていることを特徴とする請求項９に記載の固定具。
【請求項１６】
固定具であって、
第１の保持要素を有している比較的高剛性な部分と、
第２の保持要素を有している比較的変形可能な部分であって、利用時に前記固定具が構造体の穴に挿入された場合に前記比較的変形可能な部分が前記構造体によって変形されるように、前記比較的高剛性な部分の周りに受容される前記比較的変形可能な部分と、
を備えている前記固定具において、
非摩擦成分を含む力によって前記比較的変形可能な部分が変形している間に前記比較的変形可能な部分が前記比較的高剛性な部分に対して相対的に運動することを制限するために、前記第１の保持要素が前記第２の保持要素と相互作用することを特徴とする固定具。
【請求項１７】
前記第１の保持要素が、前記比較的高剛性な部分の表面窪み、表面突起、及び非円状断面部分と、前記比較的高剛性な部分に形成されたボアと、前記比較的高剛性な部分に形成された貫通穴とのうち少なくとも１つを含んでいることを特徴とする請求項１６に記載の方法。
【請求項１８】
前記比較的変形可能な部分が、ポリエーテルエーテルケトン、ポリエーテルケトンケトン、自己強化ポリフェニレン、ポリフェニルスルホン、ポリスルホン、ポリエチレン、超高分子量ポリエチレン、炭素複合材、吸収性ポリ乳酸、ポリグリコール酸のうち少なくとも１つを含んでいることを特徴とする請求項１６に記載の固定具。
【請求項１９】
前記比較的高剛性な部分が、球状の外面部分を備えていることを特徴とする請求項１６に記載の固定具。
【請求項２０】
前記比較的高剛性な部分が、滑らかなシャフト、ネジ付シャフト、ヘリカルブレード、タック、展開可能なかぎ爪、及び膨張要素のうち少なくとも１つを含む骨係合部分を備えていることを特徴とする請求項１６に記載の固定具。
【請求項２１】
骨に係合する第１の表面と前記第１の表面の反対側に配設されている第２の表面とを有している支持構造部であって、第１の開口部を前記第１の表面に形成し、前記第１の開口部より大きな第２の開口部を前記第２の表面に形成し、前記第１の開口部と前記第２の開口部との間に延在している孔を形成している前記支持構造部を備えているシステムにおいて、
前記孔が、１つ以上の固定具係合構造部を含んでおり、
固定具が、
骨係合部分と、
ヘッド部分と、
前記ヘッド部と接触している変形可能部分であって、前記固定具が安定化構造部の１つ以上の前記固定具係合構造部に係合した場合に変形する材料を含んでいる前記変形可能部分と、
非摩擦成分を含む力によって前記ヘッド部分と接触した状態で前記変形可能部分を保持する保持構造部と、
を含んでいることを特徴とするシステム。
【請求項２２】
前記保持構造部が、前記ヘッド部分の表面窪み、表面突起、及び非円状断面部分、前記ヘッド部分に形成されたボア、並びに前記ヘッド部分に形成された貫通穴のうち少なくとも１つを含んでいることを特徴とする請求項２１に記載のシステム。
【請求項２３】
変形可能部分が、ポリエーテルエーテルケトン、ポリエーテルケトンケトン、自己強化ポリフェニレン、ポリフェニルスルホン、ポリスルホン、ポリエチレン、超高分子量ポリエチレン、炭素複合材、吸収性ポリ乳酸、ポリグリコール酸のうち少なくとも１つを含んでいることを特徴とする請求項２１に記載のシステム。
【請求項２４】
前記変形可能部分と前記骨係合部分との間に配置されている球状の外面部分を含んでいることを特徴とする請求項２１に記載のシステム。
【発明の詳細な説明】
【技術分野】
【０００１】
［関連出願の相互参照］
本出願は、参照により全内容が本明細書に組み込まれている２００９年５月１５日付にて出願の米国特許仮出願第６１／１７８６３３号に基づく優先権を主張するものである。
【０００２】
本発明は、整形外科的固定装置、及び骨折部を固定するための骨固定システムに関する。
【背景技術】
【０００３】
骨折は、骨折部を跨いだ状態で骨プレートを固定することによって治療される場合がある。骨プレートは、治療すべき骨の外形に従って当該骨のために設計されるので、当該骨の外形に適合するように直線状に又は湾曲して形成されている。また、骨プレートは多様な形状及び大きさで作成されている。骨の粉砕が激しい場合には、又は骨片が失われた場合には、骨プレート及びネジから成るシステムが骨を堅固に固定又は支持するための構造を備えているので、当該システムの利用によって骨折の治療が促進される。
【０００４】
骨プレートは、多様な方法で骨に固定可能とされる。既存の解決方法は、止めネジと呼称されるネジ頭を有しているネジがプレートにロックされる、プレート及びネジから成るシステムである。止めネジは、プレートの開口部及び骨に螺入される。その後に、骨プレートのネジ付開口部と協働するネジ頭のネジ部を介して、止めネジが骨プレートに固定される。止めネジのネジ頭のネジ部が骨プレートのネジ部と相互に噛み合うので、骨プレートと１つ以上の止めネジとが一の安定システムを形成し、骨に対して骨プレートを堅固に固定された状態で安定させる。止めネジは、角度方向及び軸線方向の安定を実現し、ネジが回転、滑動、又はその場から脱落することを防止する。これにより、手術後に骨折部の整復が損なわれる危険性が低減される。
【０００５】
止めネジは緩みの発生を低減させることができるが、ネジ付開口部の軸線によって予め決定されている単一の角度方向に止めネジが挿入された場合に、止めネジのネジ頭のネジ部が開口部のネジ部に適切に係合する。止めネジとネジ付開口部とが同軸に配置された場合には、止めネジの適応性（versatility）が限定される。
【０００６】
制限された利用に関するこのような一例が、多数の骨片が散乱しているか又は移動された粉砕骨折を治療する場合に発生する。外科医は止めネジの恩恵に預かることを望むが、止めネジとプレートとが成す予め決められた角度が、外科医が所望の骨片を“把持する”（又は掴む若しくは確保する）ことができる角度でない場合がある。この場合には、外科医はプレートを骨の他の箇所に固定するか、又は非固定用ネジを利用する必要がある。
【０００７】
非固定用ネジは、ネジが切られていないが丸く滑らかなヘッドを有している。非固定用ネジは、ネジ付開口部又はネジ無開口部のいずれかで利用することができる。ヘッドにネジ部が設けられていないので、非固定用ネジはプレートと螺合し、当該プレートに固定されない。従って、非固定用ネジの一の利点は、固定用ネジと骨プレートとの螺合のように制限されないので、非固定用ネジが様々な角度で挿入可能とされることである。しかしながら、非固定用ネジは幾つかの欠点を有している。例えば、外科医が固定用ネジとプレートとの堅固且つ安定した構造を望む場合に、非固定用ネジは最適ではない。非固定用ネジには、ネジの回転、滑動、脱落の原因となる緩みが発生する場合がある。
【０００８】
非固定用ネジ又は固定用ネジを選択する選択肢を外科医に提供する骨プレートシステムが存在する。幾つかのシステムは、（固定用ネジ又は非固定用ネジを受容する）ネジ付穴と（非固定用ネジのための）ネジ無穴との両方を備えたプレートを提供する。また、非固定用ネジ又は固定用ネジが同一のスロットで相互交換可能に利用される、ネジが部分的に切られたスロットを提供するシステムも存在する。このような組み合わせスロットによって、固定用ネジ、非固定用ネジ、及び両方の組み合わせのうちいずれと共にプレートを利用するかについて、外科医は手術中に選択可能となる。これら組み合わせスロットは、一般にネジが部分的に切られていると共に圧縮ネジ又は固定用ネジを受容可能な、開口部を有している。しかしながら、これら組み合わせスロットではネジが部分的にのみ切られているので、１つ以上の固定用ネジは、物理的な負荷が作用した状態において、１つ以上のネジとプレートとの一定の角度関係を維持することができない場合がある。特に、プレート内の固定用ネジが部分的にのみ捕捉されているにすぎないので、ネジ部によって部分的にのみ囲まれている。大きな応力及び荷重が作用する条件下では、スロットが歪み、固定用ネジとプレートとの一定の角度関係が変化する場合がある。これにより、このような一定の角度関係又は確定された手術中のプレートの向きを維持することができなくなる。なお、固定用ネジは単一の角度で−製造業者によって規定された所定の角度でのみ依然として挿入可能とされる。
【０００９】
さらに、現行の骨プレート及びネジから成るシステムは、外科医が骨プレートに対して固定具をロックすることと、外科医が固定具を骨プレートから様々な角度で延在させることとの両方を依然として制限する。固定用ネジが単一の角度的配置のみでプレート内でロックされるが、固定ネジはプレート共に安定した構造を提供しない。従って、これら選択肢はいずれも、外科医が、プレートの開口部の軸線と位置合わせされていない骨片を堅固に捕捉可能とするものではない。このように、現在利用可能な選択肢は、位置合わせのずれを依然として誘発させ、良くない臨床結果を導くものである。
【００１０】
多軸式ロックシステムを提供するための幾つかの試みが存在していた。一の試みは、多方向ペグを覆って挿入されるネジ付キャップを穴に所望の角度方向で保持するために、ネジ付キャップによって、一定の角度でロックするペグと多方向でロックするペグとを受容する穴を提供することを含んでいる。このようなシステムでは、多方向ペグが任意の角度で挿入可能とされるが、外科医はペグの上方に且つプレート内に小さなキャップをねじ込む必要があるので、当該システムの利用が困難な場合がある。また、このようなシステムでは、固定用ペグ及び多方向ペグと共に非固定用部材を利用することができない。
【００１１】
多軸式固定を提供することを試みた他のシステムは、変形可能材料から作られた穴周囲部にインサートを備えた骨プレートを提供することを含んでいる。プレートが製造された後に、インサートが穴周囲部に押し込まれる。ネジが挿入された場合には、インサートがネジのヘッドとプレートの穴の縁部との間において圧縮され、これによりネジ及びインサートが所定位置に保持される。このようなシステムを利用した試みでは、当該システムが非固定用ネジと共に利用することができなくなり、変形可能なインサート備えたプレートは通常の骨プレートよりも製造コストが嵩む。従って、先行技術の欠点を克服する改良された骨プレートシステムに対するニーズがある。特に、外科医によって、ネジ又は固定具が骨プレートの開口部に挿入され、当該開口部に堅固に固定されるプレートシステムを提供する必要性が存在する。
【先行技術文献】
【特許文献】
【００１２】
【特許文献１】米国特許出願公開第２００５−００３３２９８号明細書
【特許文献２】国際公開第２００７／０７５４５４号
【特許文献３】米国特許出願公開第２００６−０１２２６０２号明細書
【特許文献４】米国特許出願公開第２００８−０３１９４９０号明細書
【発明の概要】
【発明が解決しようとする課題】
【００１３】
本明細書に開示される実施例は、複数の挿入角度のうち任意の一の挿入角度で骨プレートの開口部に挿入される多軸固定具を提供する。一の実施例では、多軸固定具のヘッドが変形可能部分を有している。固定具が骨プレートの開口部に挿入され、トルクが固定具に作用するので、変形可能部分が開口部内においてネジ部と接触する。ネジ部は、固定具の変形可能部分よりも硬質な材料から作られている。従って、ネジ部が変形可能部分に切り込んで、変形可能部分を変形させるので、多軸固定具とプレートとが堅固に固定される。
【課題を解決するための手段】
【００１４】
多軸固定具は、複数の挿入角度のうち任意の一の挿入角度で骨プレートの開口部に挿入される。ネジ部が固定具のヘッドに予め形成されていないからである。むしろ、ネジ部は、骨プレートの開口部のネジ部と係合した場合に、多軸固定具に任意の所望の挿入角度で形成されている。従って、例えば骨が著しく粉砕された重度の骨折の場合には、多軸固定具を用いることによって、外科医は、様々な姿勢になっている骨片を捕捉することができる。さらに、多軸固定具を利用することによって、骨と骨プレートとの安定した接続が実現され、多軸固定具が緩み、骨及び／又は骨プレートから脱落する可能性が低減される。
【００１５】
一の一般的な実施態様では、骨と係合するための固定具は、骨係合部分と、ヘッド部分と、ヘッド部分と接触する変形可能部分と、非摩擦成分を含む力によってヘッド部分と接触した状態で変形可能部分を保持する保持構造部とを含んでいる。変形可能部分は、固定具が安定化構造部の１つ以上の固定具係合構造部に係合した場合に変形する材料を含んでいる。
【００１６】
実施例は、以下の特徴のうち１つ以上の特徴を含んでいる。変形可能部分は、例えばポリエーテルエーテルケトン、ポリエーテルケトンケトン、自己強化ポリフェニレン、ポリフェニルスルホン、ポリスルホン、ポリエチレン、超高分子量ポリエチレン、炭素複合材、吸収性ポリ乳酸、ポリグリコール酸のうち少なくとも１つを含んでいる。保持構造部は、粗い表面テクスチャ、突出部、表面形状、ヘッド部に形成されたボア、及びヘッド部に形成された貫通穴のうち少なくとも１つを含んでいる。保持構造部は、ヘッド部に形成されたボア及び貫通穴と、固定具の外面に形成されたボアがヘッド部に形成されたボア及び貫通穴のうち少なくとも１つと交差しているように固定具の外面に形成されたボアとのうち少なくとも１つを含んでいる。変形可能部分は、ヘッド部に形成されたボア及び貫通穴のうち少なくとも１つの内部に延在しており、変形可能部分は、固定具の外面に形成されたボアに対して露出している。変形可能部分は、変形可能部分の外面に形成された少なくとも１つのフルートを含んでいる。また、固定具は、変形可能部分と骨係合部分との間に配置された球状の外面部分を含んでいる。骨係合部分は、滑らかなシャフト、ネジ付シャフト、ヘリカルブレード、タック、展開可能なかぎ爪や膨張要素のうち少なくとも１つを含んでいる。
【００１７】
他の一般的な実施態様では、固定具を製造する方法は、骨係合部分を形成するステップと、ヘッド部を形成するステップと、変形可能部分をヘッド部分と接触させるステップと、非摩擦成分を含む力によってヘッド部と接触した状態で変形可能部分を保持する保持構造部を準備するステップとを含んでいる。
【００１８】
実施例は、以下の特徴のうち１つ以上の特徴を含んでいる。変形可能部分は、例えばポリエーテルエーテルケトン、ポリエーテルケトンケトン、自己強化ポリフェニレン、ポリフェニルスルホン、ポリスルホン、ポリエチレン、超高分子量ポリエチレン、炭素複合材、吸収性ポリ乳酸、ポリグリコール酸のうち少なくとも１つを含んでいる。保持構造部を準備するステップは、粗い表面テクスチャ、突出部、表面形状、ヘッド部に形成されたボア、及びヘッド部に形成された貫通穴のうち少なくとも１つを形成するステップを含んでいる。保持構造部を準備するステップは、ヘッド部に形成されたボア及び貫通穴と、固定具の外面に形成されたボアがヘッド部に形成されたボア及び貫通穴のうち少なくとも１つと交差しているように固定具の外面に形成されたボアとのうち少なくとも１つを形成するステップを含んでいる。変形可能部分は、ヘッド部に形成されたボア及び貫通穴のうち少なくとも１つの内部に延在しており、変形可能部分は、固定具の外面に形成されたボアに対して露出している。また、当該方法は、変形可能部分と骨係合部分との間に球状の外面部分を形成するステップを含んでいる。骨係合部分を形成するステップは、滑らかなシャフト、ネジ付シャフト、ヘリカルブレード、タック、展開可能なかぎ爪や膨張要素のうち少なくとも１つを形成するステップを含んでいる。
【００１９】
他の一般的な実施態様では、固定具は、第１の保持要素を備えている比較的高剛性な部分と、第２の保持要素を有している比較的変形可能な部分とを含んでいる。比較的変形可能な部分は、利用時に固定具が構造体の穴に挿入された場合に比較的変形可能な部分が当該構造体によって変形されるように、比較的高剛性な部分の周りに受容される。第１の保持要素は、非摩擦成分を含む力によって比較的変形可能な部分が変形している間に比較的変形可能な部分が比較的高剛性な部分に対して相対的に運動することを制限するために、第２の保持要素と相互作用する。
【００２０】
実施例は、以下の特徴のうち１つ以上の特徴を含んでいる。第１の保持要素は、例えば表面窪み、表面突起、比較的高剛性な部分の非円状断面部分、比較的高剛性な部分に形成されたボア、及び比較的高剛性な部分に形成された貫通穴のうち少なくとも１つを含んでいる。比較的変形可能な部分は、例えばポリエーテルエーテルケトン、ポリエーテルケトンケトン、自己強化ポリフェニレン、ポリフェニルスルホン、ポリスルホン、ポリエチレン、超高分子量ポリエチレン、炭素複合材、吸収性ポリ乳酸、ポリグリコール酸のうち少なくとも１つを含んでいる。比較的高剛性な部分は、球状の外面部分を含んでいる。比較的高剛性な部分は、滑らかなシャフト、ネジ付シャフト、ヘリカルブレード、タック、展開可能なかぎ爪や膨張要素のうち少なくとも１つを含む骨係合部分を含んでいる。
【００２１】
他の一般的な実施態様では、システムは、骨に係合する第１の表面と第１の表面の反対側に面している第２の表面とを有した支持構造部を含んでいる。支持構造部は、第１の表面に第１の開口部を形成し、第２の表面に第１の開口部より大きな第２の開口部を形成しており、第１の開口部と第２の開口部との間に延在している孔を形成している。孔は、１つ以上の固定具係合構造部を含んでいる。また、システムは、骨係合部分と、ヘッド部と、ヘッド部と接触している変形可能部分と、非摩擦成分を含む力によってヘッド部と接触した状態で変形可能部分を保持する保持構造部とを含む、固定具を含んでいる。変形可能部分は、固定具が安定化構造部の１つ以上の固定具係合構造部に係合する場合に変形する材料を含んでいる。
【００２２】
実施例は、以下の特徴のうち１つ以上の特徴を含んでいる。保持構造部は、例えば表面窪み、表面突起、比較的高剛性な部分の非円状断面部分、比較的高剛性な部分に形成されたボア、及び比較的高剛性な部分に形成された貫通穴のうち少なくとも１つを含んでいる。変形可能部分は、例えばポリエーテルエーテルケトン、ポリエーテルケトンケトン、自己強化ポリフェニレン、ポリフェニルスルホン、ポリスルホン、ポリエチレン、超高分子量ポリエチレン、炭素複合材、吸収性ポリ乳酸、ポリグリコール酸のうち少なくとも１つを含んでいる。また、システムは、変形可能部分と骨係合部分との間に配置された球状の外面部分を含んでいる。
【００２３】
他の一般的な実施態様では、固定具は、骨係合部分とヘッド部とを含んでいる。ヘッド部は、ネック部分と、ネック部分の近傍に配設された肩部分と、ネック部分及び肩部分のうち少なくとも１つと接触する変形可能部分と、非摩擦成分を含む力によってネック部分及び肩部分のうち少なくとも１つと接触した状態で変形可能部分を保持する保持構造部とを含んでいる。変形可能部分は、固定具が安定化構造部の１つ以上の固定具係合構造部に係合した場合に変形する材料を含んでいる。
【００２４】
１つ以上の実施例の詳細については、添付図面及び以下の説明に記載されている。他の特徴については、添付図面及び以下の説明並びに特許請求の範囲から明らかになるだろう。
［付記項１］
骨と係合するための固定具であって、
骨係合部分と、
ヘッド部分と、
前記ヘッド部分に接触している変形可能部分であって、前記固定具が安定化構造部の１つ以上の固定具係合構造部に係合した場合に変形する材料を含んでいる前記変形可能部分と、
非摩擦成分を含む力によって前記ヘッド部分と接触した状態で前記変形可能部分を保持する保持構造部と、
を備えていることを特徴とする固定具。
［付記項２］
前記変形可能部分が、ポリエーテルエーテルケトン、ポリエーテルケトンケトン、自己強化ポリフェニレン、ポリフェニルスルホン、ポリスルホン、ポリエチレン、超高分子量ポリエチレン、炭素複合材、吸収性ポリ乳酸、ポリグリコール酸のうち少なくとも１つを含んでいることを特徴とする付記項１に記載の固定具。
［付記項３］
前記保持構造部が、粗い表面テクスチャ、突出部、表面形状、前記ヘッド部分に形成されたボア、及び前記ヘッド部分に形成された貫通穴のうち少なくとも１つを含んでいることを特徴とする付記項１に記載の固定具。
［付記項４］
前記保持構造部が、前記ヘッド部分に形成されたボア及び貫通穴のうち少なくとも１つを備えており、前記固定具の外面に形成されたボアが前記ヘッド部分に形成された前記ボア及び前記貫通穴のうち少なくとも１つと交差しているように前記固定具の前記外面に形成された前記ボアを備えていることを特徴とする付記項１に記載の固定具。
［付記項５］
前記変形可能部分が、前記ヘッド部分に形成された前記ボア及び前記貫通穴のうち少なくとも１つの内部に延在しており、
前記変形可能部分が、前記固定具の前記外面に形成された前記ボアに対して露出していることを特徴とする付記項４に記載の固定具。
［付記項６］
前記変形可能部分が、前記変形可能部分の外面に形成された少なくとも１つのフルートを含んでいることを特徴とする付記項１に記載の固定具。
［付記項７］
前記変形可能部分と前記骨係合部分との間に配置されている球状の外面部分を備えていることを特徴とする付記項１に記載の固定具。
［付記項８］
前記骨係合部分が、滑らかなシャフト、ネジ付シャフト、ヘリカルブレード、タック、展開可能なかぎ爪、及び膨張要素のうち少なくとも１つを備えていることを特徴とする付記項１に記載の固定具。
［付記項９］
固定具を製造するための方法において、
骨係合部分を形成するステップと、
ヘッド部分を形成するステップと、
変形可能部分を前記ヘッド部分と接触させるステップと、
非摩擦成分を含む力によって前記ヘッド部分と接触した状態で前記変形可能部分を保持する保持構造部を準備するステップと、
を備えていることを特徴とする方法。
［付記項１０］
前記変形可能部分が、ポリエーテルエーテルケトン、ポリエーテルケトンケトン、自己強化ポリフェニレン、ポリフェニルスルホン、ポリスルホン、ポリエチレン、超高分子量ポリエチレン、炭素複合材、吸収性ポリ乳酸、ポリグリコール酸のうち少なくとも１つを含んでいることを特徴とする付記項９に記載の方法。
［付記項１１］
前記保持構造部を準備するステップが、粗い表面テクスチャ、突出部、表面形状、前記固定具の前記ヘッド部分に形成されたボア、及び前記固定具の前記ヘッド部分に形成された貫通穴のうち少なくとも１つを形成するステップを備えていることを特徴とする付記項９に記載の方法。
［付記項１２］
前記保持構造部を準備するステップが、前記ヘッド部に形成されたボア及び貫通穴のうち少なくとも１つを形成する工程と、前記固定具の外面に形成されたボアが前記ヘッド部分に形成された前記ボア及び前記貫通穴のうち少なくとも１つと交差しているように、前記固定具の前記外面に前記ボアを形成するステップとを備えていることを特徴とする付記項９に記載の方法。
［付記項１３］
前記変形可能部分が、前記ヘッド部分に形成された前記ボア及び前記貫通穴のうち少なくとも１つの内部に延在しており、
前記変形可能部分が、前記固定具の前記外面に形成された前記ボアに対して露出していることを特徴とする付記項１２に記載の固定具。
［付記項１４］
前記変形可能部分と前記骨係合部分との間に球状の外面部分を形成するステップを備えていることを特徴とする付記項９に記載の方法。
［付記項１５］
前記骨係合部分を形成するステップが、滑らかなシャフト、ネジ付シャフト、ヘリカルブレード、タック、展開可能なかぎ爪、及び膨張要素のうち少なくとも１つを形成するステップを備えていることを特徴とする付記項９に記載の固定具。
［付記項１６］
固定具であって、
第１の保持要素を有している比較的高剛性な部分と、
第２の保持要素を有している比較的変形可能な部分であって、利用時に前記固定具が構造体の穴に挿入された場合に前記比較的変形可能な部分が前記構造体によって変形されるように、前記比較的高剛性な部分の周りに受容される前記比較的変形可能な部分と、
を備えている前記固定具において、
非摩擦成分を含む力によって前記比較的変形可能な部分が変形している間に前記比較的変形可能な部分が前記比較的高剛性な部分に対して相対的に運動することを制限するために、前記第１の保持要素が前記第２の保持要素と相互作用することを特徴とする固定具。
［付記項１７］
前記第１の保持要素が、前記比較的高剛性な部分の表面窪み、表面突起、及び非円状断面部分と、前記比較的高剛性な部分に形成されたボアと、前記比較的高剛性な部分に形成された貫通穴とのうち少なくとも１つを含んでいることを特徴とする付記項１６に記載の方法。
［付記項１８］
前記比較的変形可能な部分が、ポリエーテルエーテルケトン、ポリエーテルケトンケトン、自己強化ポリフェニレン、ポリフェニルスルホン、ポリスルホン、ポリエチレン、超高分子量ポリエチレン、炭素複合材、吸収性ポリ乳酸、ポリグリコール酸のうち少なくとも１つを含んでいることを特徴とする付記項１６に記載の固定具。
［付記項１９］
前記比較的高剛性な部分が、球状の外面部分を備えていることを特徴とする付記項１６に記載の固定具。
［付記項２０］
前記比較的高剛性な部分が、滑らかなシャフト、ネジ付シャフト、ヘリカルブレード、タック、展開可能なかぎ爪、及び膨張要素のうち少なくとも１つを含む骨係合部分を備えていることを特徴とする付記項１６に記載の固定具。
［付記項２１］
骨に係合する第１の表面と前記第１の表面の反対側に配設されている第２の表面とを有している支持構造部であって、第１の開口部を前記第１の表面に形成し、前記第１の開口部より大きな第２の開口部を前記第２の表面に形成し、前記第１の開口部と前記第２の開口部との間に延在している孔を形成している前記支持構造部を備えているシステムにおいて、
前記孔が、１つ以上の固定具係合構造部を含んでおり、
固定具が、
骨係合部分と、
ヘッド部分と、
前記ヘッド部と接触している変形可能部分であって、前記固定具が安定化構造部の１つ以上の前記固定具係合構造部に係合した場合に変形する材料を含んでいる前記変形可能部分と、
非摩擦成分を含む力によって前記ヘッド部分と接触した状態で前記変形可能部分を保持する保持構造部と、
を含んでいることを特徴とするシステム。
［付記項２２］
前記保持構造部が、前記ヘッド部分の表面窪み、表面突起、及び非円状断面部分、前記ヘッド部分に形成されたボア、並びに前記ヘッド部分に形成された貫通穴のうち少なくとも１つを含んでいることを特徴とする付記項２１に記載のシステム。
［付記項２３］
変形可能部分が、ポリエーテルエーテルケトン、ポリエーテルケトンケトン、自己強化ポリフェニレン、ポリフェニルスルホン、ポリスルホン、ポリエチレン、超高分子量ポリエチレン、炭素複合材、吸収性ポリ乳酸、ポリグリコール酸のうち少なくとも１つを含んでいることを特徴とする付記項２１に記載のシステム。
［付記項２４］
前記変形可能部分と前記骨係合部分との間に配置されている球状の外面部分を含んでいることを特徴とする付記項２１に記載のシステム。
【図面の簡単な説明】
【００２５】
【図１】多軸固定具の斜視図である。
【図２】図１に表わす多軸固定具のヘッドの斜視図である。
【図３】図１に表わす多軸固定具の変形可能部分の斜視図である。
【図４】多軸固定具の他のヘッドの斜視図である。
【図５】多軸固定具の他の変形可能部分の斜視図である。
【図６】骨プレートの開口部に挿入されている図１に表わす多軸固定具の、部分的に断面図となった斜視図である。
【図７】図６に表わす多軸固定具及び骨プレートの他の図面である。
【図８ａ】多軸固定具の斜視図である。
【図８ｂ】図８ａに表わす多軸固定具の、部分的に断面図となった斜視図である。
【図９ａ】多軸固定具の斜視図である。
【図９ｂ】図９ａに表わす多軸固定具の、部分的に断面図となった斜視図である。
【図１０】骨プレートのネジ付開口部に挿入されていると共にネジ付開口部の軸線と位置合わせされている、多軸固定具の断面図である。
【図１０ａ】多軸固定具の断面図である。
【図１１】骨プレートのネジ付開口部に挿入されていると共にネジ付開口部の軸線と位置合わせされていない、図１０に表わす多軸固定具の断面図である。
【図１２】固定具のヘッドを貫通している係止穴を備えた、多軸固定具の斜視図である。
【図１３】図１２に表わす多軸固定具のヘッドに形成されている変形可能部分の斜視図である。
【図１４】図１２に表わす多軸固定具の断面図である。
【図１５】多軸固定具のヘッドの断面図である。
【図１６】多軸固定具のヘッドの斜視図である。
【図１７】多軸固定具のヘッドの斜視図である。
【図１８ａ】多軸固定具のヘッドにフルートを備えた多軸固定具の上面図である。
【図１８ｂ】図１８ａに表わす多軸固定具の側面図である。
【図１９】骨プレートの開口部の上方から見た斜視図であり、開口部内部に形成されたフルートを表わす。
【図２０】骨プレートの開口部を表わす。
【図２１】骨プレートの開口部を表わす。
【図２２】骨プレートの開口部を表わす。
【図２３】骨プレートの開口部を表わす。
【図２４】骨プレートの開口部を表わす。
【図２５】骨プレートの開口部を表わす。
【図２６】骨プレートの開口部を表わす。
【図２７】骨プレートの開口部を表わす。
【図２８】骨プレートの開口部を表わす。
【図２９】骨プレートの開口部を表わす。
【図３０】骨プレートの開口部を表わす。
【図３１】骨プレートの開口部を表わす。
【図３２】骨プレート及び多軸固定具によって治療されている骨折部の側面図である。
【図３３】骨プレート及び固定具の斜視図である。
【図３４】骨プレートの図面を含む。
【発明を実施するための形態】
【００２６】
本明細書の実施例は、多軸固定具及び骨プレートを含んでいるシステムと、該システムを利用するための方法とを提供する。特に、本明細書に開示される多軸固定具は、骨プレートと共に堅固な構造を実現するために、複数の挿入角度のうち任意の一の挿入角度で骨プレートの開口部に挿入及び固定可能とされる。
【００２７】
図７は、任意の形状及び大きさから成る様々な異なるタイプの骨プレート５４のうち任意の骨プレートを含んでいるシステム１０を表わす。骨プレート５４は、例えば大腿骨、遠位脛骨、近位脛骨、近位上腕骨、遠位上腕骨、鎖骨、腓骨、尺骨、橈骨、足骨、及び／又は手骨に接触するように適合されている。骨プレート５４それぞれが、湾曲しているか、凹凸になっているか（contoured）、直線状になっているか、又は平坦になっており、ペリアーティキュラープレート（periarticular plate）又はストレートプレート（straight plate）とされる場合がある。骨プレート５４は、シャフト部分から拡開することによってシャフト部分と共にＬ字状、Ｔ字状、Ｙ字状に形成された、特定の骨の表面又は骨頭に適合するように輪郭付けられたヘッド部分を有している。骨プレート５４は、図３４に例示されるが、これら例示に限定される訳ではない。
【００２８】
さらに、骨プレート５４は、例えばチタン、ステンレス鋼、コバルトクロム、及びこれらの組み合わせや合金のような、様々な材料から作られている。また、骨プレート５４は、プラスチック材料から作られている場合もある。骨ネジ５４は、例えばポリエーテルエーテルケトン（ＰＥＥＫ）、炭素繊維強化ＰＥＥＫ、ポリエチレン、超高分子量ポリエチレン（ＵＨＭＷＰＥ）、炭素複合材、吸収性ポリ乳酸（ＰＬＡ：resorbable polylactic acid）、及び／又はポリグリコール酸（ＰＧＡ）を含んでおり、及び／又はこれら材料の組み合わせが利用される場合もある。骨プレート５４は、例えば金属製のネジ穴付インサートを備えた高分子板（polymer plate）のような、金属材料及び高分子材料の組み合わせによって形成されている。一般に、骨プレート５４は、人体に移植するのに十分な生体適合性及び／又は生体吸収性並びに耐力強度を有している、任意の適切な材料から作られている。
【００２９】
骨プレート５４には、任意の数量及び任意のタイプの開口部が任意の組み合わせで設けられている。一般に、開口部は、上面５８から骨接触面５６に至るまで骨プレート５４を貫通して延在しており、図６、図７、及び図１９〜図２３に表わすように、中心軸線６２を有している。本明細書には、様々なタイプの開口部が開示されているが、これら開口部のみを有している骨プレートに限定する意図はない。
【００３０】
システム１０の骨プレート５４のうち幾つかの骨プレートは、固定具に係合するための任意の形体で内面３４に切り欠かれた、ネジ部を有しないスロット８４又は開口部８０（図３３参照）を含んでいる。また、骨プレート５４には、ネジ付開口部６０の内面３４にネジ部６４を含んでいる１つ以上のネジ付開口部６０が設けられている。ネジ部６４は、連続的な隆起部又は非連続的な隆起部を含んでいる。ネジ部６４は、一回転の一部分、完全な一回転、多回転、単数のリード、多数のリード、又は本発明の属する分野において知られている任意の他のネジの特徴を含んでいる。さらに、骨プレート５４には、例えば米国特許第５７０９６８６号明細書に開示されるような（組み合わせ開口部と呼称される）ネジ部及び非ネジ部の両方を備えた開口部６０が設けられている場合がある。当該特許文献の全体が、参照によって本明細書に組み込まれている。
【００３１】
図２０は、上面５８から骨接触面５６に至るまで連続的に延在している、ネジ部６４を備えたネジ付開口部６０を表わす。しかしながら、他の実施例では、ネジ部６４が、上面５８から骨接触面５６に至る全行程に亘って延在している訳ではない。例えば図２６〜図３１は、上面５８の近傍に配設されたネジ無頂部分と骨接触面５６の近傍に配設されたネジ付底部分とを有している、ネジ付開口部６０を表わす。このようなネジ付開口部６０は、米国特許出願第１１／６４４３０６号明細書に詳細に開示されている。当該特許文献の全体が、参照によって本明細書に組み込まれている。
【００３２】
図２４〜図３１は、錐台状の頂部分７２を有しているネジ付開口部６０を表わす。図２４及び図２５は、開口部６０の特定の実施態様の図解を補助するために、ネジ部６４を省略したネジ付開口部６０を表わす。図２６〜図２８は、ネジ部６４を描写した同一のネジ付開口部６０を表わす。しかしながら、図２４〜図２８に表わすネジ付開口部６０の形状が略同一であることは言うまでもない。
【００３３】
図２４〜図２８に表わすように、ネジ付開口部６０は、上面５８から下方に延在している頂部分７２を含んでいる。頂部分７２は、略錐台状の形態とされ、具体的には上面５８の平坦部分に対してθ１の角度で上面５８から延在している傾斜部分７６を含んでいる。角度θ１は、例えば約５２°とされる。
【００３４】
また、図２９〜図３１に表わすネジ付開口部６０は、錐台状の頂部分７２を含んでいる。しかしながら、ネジ付開口部の形状は、図２５に表わす頂部分７２の形状と若干相違する。図３０では、例えば頂部分７２の第１の領域は、略半球状の形態をした凹状部分７４を含んでいる。頂部分の第２の領域は、上面５８の平坦部分に対してθ３の角度で上面５８から延在している傾斜部分７６を含んでいる。角度θ３は、例えば約５２°とされる。
【００３５】
図２４〜図３１に表わすネジ付開口部６０の頂部分７２の正確な形状とは関係なく、ネジ付開口部６０の底部分７８は、頂部分７２の端部から骨接触面５６に至るまで延在しており、ネジ部６４を含んでいる。ネジ部６４のうち幾つかのネジ部は、特定の実施例では、頂部分７２内部に延在している。一般に、頂部分７２には完全にネジが切られている訳ではない。図２５に表わすように、底部分７８はテーパ状になっている。底部分７８のテーパ状部分の開先角度θ２は約３０°未満であり、０°であっても良い（すなわち全くテーパ状になっていない）。開先角度θ２が大きくなるに従って、必然的にネジ付開口部６０がその上面５８において大きくなる。開先角度θ２が３０°よりもずっと大きい場合には、ネジ付開口部６０を大きくすることと骨プレート５４の強度とのバランスをとる必要がある。例示的な実施例では、開先角度θ２が約２０°とされる。
【００３６】
骨プレート５４には、異なる形状に形成された様々な開口部６０のうち１つ以上の開口部が設けられている。しかしながら、本明細書の適用範囲が、図面に表わす特定の開口部に限定される訳ではない。例えば図２３に表わす開口部９２には、多軸固定具１２のヘッド１４に係合するためのネジ部６４以外の形体を備えた、内面３４が形成されている。例えば開口部９２には、開口部９２内部において内方に延在しているフィン７０が形成されている。このようなフィンを備えた開口部は、米国特許出願第１１／９９６７９５号明細書に詳細に開示されている。当該特許文献の全体が、参照によって本明細書に組み込まれている。
【００３７】
代替的には、独立した幾何学的形状の突出部が、開口部９２の内面３４に設けられている。例えば、図２１及び図２２はそれぞれ、開口部９２の内面３４から内方に延在している不連続な隆起部６６又はバンプ６８を表わすが、これらに限定することを意図する訳ではない。一般に、開口部９２の内面３４には、任意の形体、突出部、又は本明細書に記載の多軸固定具１２を把持及び固定可能な形体の組み合わせが形成されている。説明を容易にするために、本明細書では、ネジ付開口部６０と共に利用する場合における多軸固定具１２について説明する。
【００３８】
図１〜図８に表わす多軸固定具１２は、例えばシャフト１６のような骨係合部分と、ヘッド部分１４と、変形可能部分２６と、シャフト１６の先端部２０から多軸固定具１２のヘッド部分１４に至るまで延在している長手方向軸線１８とを含んでいる。シャフト１６は、ネジが切られているか、又はそうでなければ、骨と係合するように構成されている。ネジがシャフト１６に完全に切られているか、ネジがシャフト１６に部分的に切られているか、シャフト１６がヘリカルブレードを含んでいるか、及び／又は、シャフト１６が１つ以上のタック、展開可能なかぎ爪、膨張可能要素、若しくは他の骨と係合する要素を含んでいる。シャフト１６と骨との係合を可能とする任意の形体が、本発明の技術的範囲に属することは言うまでもなく、便宜上、一般にはネジ付シャフト１６と呼称される。代替的には、シャフト１６にはネジが切られておらず、多軸固定具１２はペグ又はピンの形態をしている。ネジ部を有しない固定具１２は、例えば骨片の傾動を防止することを主目的とする処置において、又は、多軸固定具１２が骨から引き出される危険性がほとんど無く若しくは全く無く、その上、シャフト１６にネジを切る必要性若しくは固定具１２が抜け出ることを制限するために骨と係合するようにシャフト１６が構成されている必要性がほとんど無い若しくは全く無い処置において有用である。シャフト１６の先端部２０は、自らタップ又はネジを切る先端部とされる場合がある。さらに、固定具１２には、カニューレが挿入可能とされ、これによりシャフト１６は、固定具１２を骨に挿入する際に固定具１２を案内ワイヤに取付可能な中空構造になっている。
【００３９】
一般に、本明細書に記載の多軸固定具１２は、多軸固定具１２を位置決めするために利用可能なドライバ又は他の器具を受容する、ヘッド部１４の外面に形成されているボア２２を有している。ボア２２は、任意の大きさ及び形状であって良い。例えば、ボア２２は六角状の構造体とされ、対応する六角ドライバを受容するようになっている。他の選択肢としては、プラスネジ頭、マイナスネジ頭、スター構造（star configuration）、トルクス（登録商標）構造、又は多軸固定具１２を配置するためにドライバと協働可能な任意の他の適切な構造が挙げられる。
【００４０】
図１〜図１１は、多軸固定具１２のヘッド１４に変形可能部分２６を備えた多軸固定具１２の実施例を表わす。図１〜図７に表わす実施例では、変形可能部分２６はヘッド１４の周囲を囲んで延在しており、その境界が底部分３２によって形成されている。従って、変形可能部分２６はヘッド１４全体を覆っている訳ではない。しかしながら、代替的には図８〜図１１に表わすように、変形可能部分２６はヘッド１４の略全体を覆っている。さらなる他の実施例では、変形可能部分２６はヘッド１４の一部分のみ又は複数の部分に沿って延在しており、他の位置においてヘッド１４に設けられている。変形可能部分２６の基本的な用途は、変形可能部分２６の形状に関係無く、以下に説明するように同一である。
【００４１】
一の実施例では、多軸固定具１２をネジ付開口部６０に挿入し、（ボア２２を介して）多軸固定具１２にトルクを作用させることによって、多軸固定具１２が骨にねじ込まれる。図６に表わすように、多軸固定具１２がネジ付開口部６０にさらにねじ込まれると、変形可能部分２６がネジ付開口部６０のネジ部６４に接近し、最終的にネジ部６４と接触する。図７に表わすように、ネジ付開口部６０のネジ部６４が変形可能部分２６に食い込み、変形可能部分２６を変形させる。ネジ付開口部６０の変形可能部分２６を多軸固定具１２と係合させることによって、多軸固定具１２と骨プレート５４とが堅固に嵌め合わされる。
【００４２】
多軸固定具１２は、関連する欠点を有しない固定用ネジの利点を有している。特に多軸固定具１２の長手軸線１８が開口部６０の中心軸線６２に対して所望の角度に向いている状態において、多軸固定具１２はネジ部６４を介してネジ付開口部６０内にロック可能とされる。多軸固定具１２は、従来の固定用ネジと異なり、図６及び図７に表わすように、多軸固定具１２が複数の挿入角度２８（すなわちネジ付開口部６０の中心軸線６２と多軸固定具１２の長手方向軸線１８とが成す角度）のうち任意の挿入角度でネジ付開口部６０に挿入及び固定可能な、多軸固定を提供する。挿入角度２８の範囲は、任意の方向において、例えば０°〜３０°とされる。多軸固定具１２のヘッド１４にはネジ部が予め形成されていないので、ネジ付開口部６０のネジ部６４と多軸固定具１２のヘッド１４とを確実に係合させるために、正確な所定角度で多軸固定具１２をネジ付開口部６０に挿入する必要はない。逆に、ヘッド１４には変形可能部分２６が設けられており、変形可能部分２６が、多軸固定具１２が挿入角度２８で開口部６０に挿入された場合に開口部６０のネジ部６４と係合するように構成されている。
【００４３】
変形可能部分２６は、生体適合性及び／又は生体吸収性を有している材料から形成されており、当該材料は、ネジ部６４との相互作用によって挿入角度２８で挿入された場合にネジ付開口部６０内の所定位置に多軸固定具１２を固定するのに十分な強度を有している。また、変形可能部分２６は、力が作用した場合にネジ部６４が上述のように変形可能部分２６に食い込んで変形するのに十分な変形可能性を有していることが必要とされる。変形可能部分２６を形成するのに適切な材料としては、ポリエーテルエーテルケトン（ＰＥＥＫ）、ポリエーテルケトンケトン（ＰＥＫＫ）、自己強化ポリフェニレン（ＳＲＰ）、ポリフェニルスルホン（ＰＰＳＵ）、ポリスルホン（ＰＳＵ）、ポリエチレン、超高分子量ポリエチレン（ＵＨＭＷＰＥ）、炭素複合材、吸収性ポリ乳酸（ＰＬＡ：resorbable polylactic acid）、ポリグリコール酸（ＰＧＡ）、及び／又はこれら材料の組み合わせが挙げられるが、これらに限定される訳ではない。例えば炭素繊維やガラスビーズのような充填材が、変形可能部分２６の高分子材料に組み込まれており、これにより当該高分子材料から作られた変形可能部分２６の強度が高められている場合がある。一般に、変形可能部分２６は、骨プレート５４のネジ付開口部６０を形成する材料より柔軟な、すなわちより低い降伏強度を有している材料から作られている。変形可能部分２６は、例えばＩｎｖｉｂｉｏ  Ｉｎｃ．製造のＰＥＥＫ−Ｏｐｔｉｍａ  ＬＴ３から形成されている。
【００４４】
多軸固定具１２は、様々な方法のうち１つ以上の方法及び／又は様々な材料のうち１つ以上の材料を利用することによって製造される。ヘッド１４がシャフト１６と一体になっており、例えばヘッド１４とシャフト１６とが単一の材料片から作られているが、必ずしもそうである必要はない。適切な材料としては、例えばチタン、ステンレス鋼、コバルトクロム、及び／又はこれらの組み合わせ若しくは合金のような金属材料が挙げられるが、これらに限定される訳ではない。さらに、多軸固定具１２は、例えばポリエーテルエーテルケトン（ＰＥＥＫ）、ポリエーテルケトンケトン（ＰＥＫＫ）、炭素繊維強化ＰＥＥＫ、自己強化ポリフェニレン（ＳＲＰ）、ポリフェニルスルホン（ＰＰＳＵ）、ポリスルホン（ＰＳＵ）、ポリエチレン、超高分子量ポリエチレン（ＵＨＭＷＰＥ）、炭素複合材、吸収性ポリ乳酸（ＰＬＡ）、ポリグリコール酸（ＰＧＡ）、及び／又はこれら高分子材料の組み合わせのような高分子材料から作られている。しかしながら、高分子材料がこれら例示に限定される訳ではない。
【００４５】
図２に表わすように、少なくとも１つの凹所２４が変形可能部分２６を収容するためにヘッド１４に設けられている。凹所２４は、ヘッド１４の周囲全体又は周囲の一部分に亘って形成されている。図２に表わす非限定的な実施例では、凹所２４は、ヘッド１４の周囲全体に延在している環状溝とされる。しかしながら、一方では、複数の凹所２４が設けられており、凹所２４がヘッド１４の周囲に連続的に延在している必要がない場合がある。凹所２４は様々な方法で形成可能とされる。例えば旋盤を利用することによってヘッド１４から材料を取り除き、これにより凹所２４が形成される。代替的には、多軸固定具１２は、凹所２４が形成された状態で成形される。その後に、変形可能部分２６は、様々な手法によって凹所２４内に少なくとも部分的に設けられる。幾つかの実施例では、変形可能部分２６が凹所２４内部に少なくとも部分的に延在しているように、変形可能部分２６がヘッド１４に成形されている。変形可能部分２６を形成した後に、旋盤を利用することによって余分な材料が取り除かれ、これにより変形可能材料が所望の形状を有する変形可能部分２６に形成される。図３は、所望の形状を有する変形可能部分の一例を表わす。他の実施例では、プレフォームされた変形可能部分２６が、例えば組立、付着や焼き嵌めのような既知の手法、又は任意の適切な製造方法によって凹所２４内に嵌め込まれる。
【００４６】
図１〜図３に表わすように、ヘッド１４は、凹所２４を共同で形成する頂部分すなわち肩部分３０と、ネック９４と、底部分すなわち肩部分３２とを含んでいる。頂部分３０は凹所２４の頂部壁９６を形成しており、底部分３２は凹所２４の底部壁９８を形成している。底部分３２は、球、錐状体、放物面体、及び他の形状を含む様々な湾曲した外形又は角状の外形のうち任意の形状を有している。図１に最良に表わすように、底部分３２に対する接線１００は、ヘッド１４の底部分３２とネジ付開口部６０との間において接触点を有している。接線１００は、多軸固定具１２の長手方向軸線１８と交差しており、長手方向軸線１８に対して角度βを形成している。底部分３２の形状は、角度βが約２０°〜９０°の範囲にあるように決定される。角度βが約９０°である場合には、底部分３２が実質的に存在せず、変形可能部分２６がシャフト１６とヘッド１４とが交わる位置に向かって概略的に延在している。
【００４７】
ボア２２は、ヘッド１４の頂部分３０及びネック９４の内部に延在している。ボア２２を形成し且つボア２２とネック９４の外面との間に壁を形成するのに十分な量の材料が存在する場合には、ネック９４は任意の適切な直径ｄ１を有している。言い換えれば、ネック９４の直径ｄ１は、ボア２２の直径ｄ２によって制約を受けているので、及び／又は、ボアの直径ｄ２はネック９４の直径ｄ１によって制約を受けているので、ネック９４の壁は、外科医又は他の利用者がボア２２と係合している打込工具（driving tool）を利用することによって多軸固定具１２をボア内部に押し込んだ場合に発生する、捩れ又は引裂を防止又は制限するのに十分な厚さを有している。幾つかの実施例では、ヘッド１４は、ドライバと係合するための構造を含むシャフト１６の端部から形成されており、直径ｄ１は、骨と係合するシャフト１６の一部分の直径と略同一の大きさとされる。凹所２４は、省略されているか、又はシャフトのネジが切られていない部分から材料を取り除くことによって形成されている場合がある。そして、変形可能部分２６は、例えば本明細書の他の箇所で説明するように、ヘッド１４に設けられている場合がある。
【００４８】
図１〜図３に表わす凹所２４は、ネック９４の直径ｄ１が自身の高さ方向に亘って一定であると共にネック９４の壁が多軸固定具１２の長手方向軸線１８と略平行とされる、円柱として形成されている。凹所２４において、頂部壁９６の幅ｗ１は底部壁９８の幅ｗ２より大きく、変形可能部分２６において、ヘッド１４の頂部分３０近傍の厚さｔ１は底部分３２近傍の厚さｔ２より厚い。幅ｗ１は、多軸固定具１２をネジ付開口部６０内に挿入している最中に頂部壁９６によって変形可能部分２６が凹所２４内に保持されるように選定される。このような挿入の間に、軸線方向の力がヘッド１４に関連する変形可能部分に作用する。同様に、幅ｗ２は、多軸固定具１２が開口部６０から脱落することを制限するために底部壁９８によって変形可能部分が利用時に凹所２４内に保持されるように選定される。
【００４９】
図４及び図５に表わす他の実施例では、ネック９４が、テーパ状になっているか、又は、ネック９４の直径が自身の高さ方向に沿って変化するように形成されている。図４及び図５では、ネック９４が、頂部分３０から底部分３２に下方に向かって傾斜している。幾つかの実施例では、凹所２４内に配設された変形可能部分２６の高さ方向に亘る厚さｔ３が一定であるように、ネック９４の傾斜がヘッド１４の外周の所望の形状に適合している。
【００５０】
一般に、変形可能部分２６は、開口部６０に挿入された場合に変形可能部分２６がネジ付開口部６０のネジ部６４に接触するような任意の厚さを有しているので、多軸固定具１２をネジ付開口部６０内に容易にロックすることができる。変形可能部分２６の厚さは、ネジ部６４の大きさ、多軸固定具１２が挿入されるように意図されたネジ付開口部６０の大きさ、ネック９４の直径ｄ１、並びに頂部壁９６の幅ｗ１及び底部壁９８の幅ｗ２に従って変更可能とされる。一般に、比較的大きな多軸固定具１２の変形可能部分２６の厚さは、同様に構成された比較的小さな多軸固定具１２の変形可能部分２６の厚さより厚い。しかしながら、厚さが約０．２５ｍｍ〜約４ｍｍの範囲にある変形可能部分２６は多数の用途に適している。好ましくは、変形可能部分２６は、ネジ付開口部６０のネジ部６４が変形可能部分２６を完全に切り開かないことを確実にするのに十分に厚いので、変形可能部分２６が、ネジ部６４との相互作用に起因して多軸固定具１２から分離することによって断片化されることはない。
【００５１】
多軸固定具１２のヘッド１４は、ネジ付開口部６０との意図された相互作用をするように適合された任意の形状を有している。錐状の外形、球状の外形、及び放物状の外形が適しており、錐状に形成された開口部６０又は錐台状の頂部を有している開口部６０と共に利用することができる。さらに、上述したように、多軸固定具１２のヘッド１４に露出した変形可能部分２６の大きさは、多軸固定具１２の利用が意図されている特定用途に基づいて選定される場合もある。例えば図１〜図５は、ヘッド１４の外面全体を囲んでいない変形可能部分２６を有している多軸固定具１２を表わす。ヘッド１４の底部分３２は、露出状態を維持しており、変形可能部分２６は、底部分３２の上方においてヘッド１４の周囲を囲んで延在している帯状の形態になっている。図示の如く、多軸固定具１２の外形は球状とされる。多軸固定具１２は、任意のタイプの開口部内で利用され、圧縮及び固定の両方を実現するために特に有用である。より具体的には、多軸固定具１２の露出された底部分３２は、加圧される傾斜部（compression slope）を含むネジ付開口部６０と共に利用される。当該加圧される傾斜部としては、例えば錐台状の頂部分７２を有している図２４〜図３１に表わすネジ付開口部６０が挙げられるが、これらに限定される訳ではない。
【００５２】
図６に表わすように、利用時には、多軸固定具１２はネジ付開口部６０に挿入されており、底部分３２はネジ付開口部６０の錐台状の頂部分７２と接触している。多軸固定具１２が骨内にさらに押し込まれた場合には、ヘッド１４の底部分３２は錐台状の頂部分７２に沿って乗り上げ、頂部分７２に当接する。底部分３２の湾曲した輪郭が、図７に表わすようにネジ付開口部６０の錐台状の頂部分７２に接触し、頂部分７２に沿って乗り上がるので、多軸固定具１２は、例えば横方向のような特定の方向に骨プレート５４を押す。骨プレート５４を移動させることによって、下方に位置している骨片及び組織が骨プレート５４に対して相対的に移動し、骨折が整復される。さらに、底部分３２の摩擦係数によって、骨を骨プレート５４に対して相対的に容易に移動させることができる。幾つかの実施例では、底部分３２は、低摩擦係数を有する材料から形成されているので、錐台状の頂部分７２に沿って容易に移動可能とされる。従って、外科医や他の利用者は、湾曲した底部分３２を利用することによって、骨プレート５４を所望の位置に移動させることができる。さらに、上述のように、外科医や他の利用者がトルクを多軸固定具１２に作用させ、これにより変形可能部分２６をネジ部６４に接触させ、ネジ部６４が変形可能部分２６を変形させることによって、多軸固定具１２を所望の位置に固定することができる。
【００５３】
図８ａ、図８ｂ、図９ａ、及び図９ｂに表わす多軸固定具１２の変形可能部分２６は、ヘッド１４の全周を囲んで延在しており、略球状の外形を形成している。図８ａ及び図８ｂでは、変形可能部分２６がヘッド１４の頂部分３０からヘッド１４の底部分３２に至るまで延在している。しかしながら、図９ａ及び図９ｂでは、変形可能部分２６は、ヘッド１４の頂部分３０に至るまで延在している訳ではなく、頂部分３０の直前で終端している。しかしながら、ヘッド１４に露出された変形可能部分２６の量は必要に応じて調整可能とされる。
【００５４】
これら図面に表わすように、ヘッド１４は半径３６と中心３８とを有している。中心３８は、多軸固定具１２の長手方向軸線１８上に位置している。必須ではないが、ヘッド１４の半径３６が変形可能部分２６全体において一定であるように変形可能部分２６が形成されていることが望ましい。多軸固定具１２が任意の挿入角度で挿入された状態では、略同一長さのネジ付インターフェース４０がヘッド１４の周囲を囲んでいるので、中心３８及び半径３６のこのような幾何学的関係によって、多軸固定具１２がネジ付開口部６０内に堅固に嵌め合わせ可能とされる。図１０及び図１１に表わすネジ付インターフェース４０は、ネジ付開口部６０のネジ部６４が変形可能部分２６に食い込み、変形可能部分２６を変形させる深さに関連している。多軸固定具１２がいかなる挿入角度で挿入された場合であっても、同一長さのネジ付インターフェース４０の補助によって、確実且つ堅固な嵌め合いが実現され、略同一の大きさの引張強度がヘッド１４の周囲に確実に発生する。
【００５５】
上述のように、変形可能部分２６は、多軸固定具１２のヘッド１４に形成されている少なくとも１つの凹所２４内に配設されている。変形可能部分２６とヘッド１４との間における相対的な移動が、頂部壁９６によって、（含まれている場合には）底部壁９８によって、並びに／又は、ネック９４、頂部壁９６、及び／又は底部壁９８と変形可能部分２６の表面との間における摩擦によって制限される。特に多軸固定具１２が骨プレート又は他の支持構造体の開口部を介して骨内部に挿入されている際に、ネック９４を中心とした変形可能部分の回転を制限するために、ヘッド１４の幾何学的形状が、ヘッド１４に対する変形可能部分２６の保持力を高めるように構成されている場合があるが、必ずしもそうである必要はない。例えば図示のネック９４の断面は円状であるが、ネック９４の断面は、変形可能部分２６が凹所２４内で回転することを防止することを補助する他の断面形状（例えば正方形、三角形、六角形、八角形等）であれば良い。例えば図１２及び図１３に表わすように、ネック９４の断面は、角が丸められた多角形状とされる。ネック９４の断面が非円状であることによって、摩擦保持力及び非摩擦保持力の両方又はこれら力の成分の両方が発生し、これによりネック９４を中心とした変形可能部分の回転が制限される。付加的には、任意の数量、大きさ、又は形状のキャビティ、開口部、又は貫通孔が、変形可能部分２６の一部分を受容するためにネック９４に形成されており、これにより変形可能部分２６との接触のために利用可能な表面積が増大し、ヘッド１４に対する変形可能部分２６の保持力が高められる。例えば図１２及び図１３に表わす多軸固定具１２のヘッド１４は、ネック９４内部に延在すると共にネック９４を貫通している穴４６を含んでいる。
【００５６】
図１２に表わすように、穴４６は、ネック９４を完全に貫通しており、多軸固定具１２の長手方向軸線１８と交差している。（図示しないが）他の実施例では、穴４６はネック９４を完全には貫通しておらず、ネック９４内に部分的に延在しているにすぎない。任意の数量の穴４６が、ネック９４の任意の位置に配設されており、変形可能部分２６の一部分を受容することによって当該変形可能部分をヘッド１４に係止するために、ネック９４を完全に貫通しているか、又はネック９４内部に部分的に延在している。例えば、１つ以上の穴４６が、変形可能部分２６をヘッド１４上にモールドする前に、長手方向軸線と交差した状態で、多軸固定具１２の長手方向軸線１８に対して垂直に穿孔されている場合がある。さらに、穴４６は、任意の断面形状（例えば円状、星形状、矩形状、テーパ状、非テーパ状等）を有しており、図１０ａに表わすように、カウンターボア４６ａ（counter-bore）、すなわちネック９４の表面から穴４６に至るまでテーパ状になっているか、又は丸められている移行部分を含んでいる場合がある。幾つかの実施例では、ネック９４の断面が六角形状であり、ネック９４は、カウンターボア部分を有している２つの穴４６を備えており、２つの穴４６は、ネックの４つの面が穴４６のカウンターボアの開口部（counter-bored opening）を含んでいるようにネック９４に形成されている。多軸固定具が成形品である場合には、穴４６は分割線を含まない面に配設されている。
【００５７】
例えば変形可能部分２６をヘッド１４に備えている材料を射出成形することによって、変形可能部分２６が形成される場合には、当該材料が穴４６内に入り、穴４６を充填する。当該材料が固化した場合には、図１３に表わすように、当該材料から成るロッド４４が穴４６の内側に形成される。ロッド４４は、変形可能部分２６の両側に接続しており、変形可能部分２６を凹所２４に対して所定の位置に係止しており、変形可能部分２６に作用するトルクによる力に抗する非摩擦保持力を発生させることによって、変形可能部分２６とヘッド１４との相対的な回転を制限している。
【００５８】
図１２及び図１４では、穴４６はボア２２の下方に配設されており、ボア２２は穴４６と交差していない。しかしながら、代替的には図１５に表わすように、穴４６とボア２２との間に開空間が形成されるように、ボア２２と穴４６とが交差しても良い。従って、ロッド４４が形成した場合には、ロッド４４が部分的に露出し、ボア２２を介してアクセス可能となるだろう。ロッド４４がボア２２に対して露出された場合には、当該ロッドは、利用者が手術中に多軸固定具１２を取り扱う際に有用である。例えば外科医又は他の利用者は、一般に多軸固定具１２を挿入するために打込工具１０１を利用するだろう。外科医は、ボア２２内部に、特にボア２２と穴４６との間に形成された空間に打込工具１０１を挿入するだろう。ロッド４４が露出しているので、外科医又は他の利用者が、打込工具１０１の歯１０３を利用して、変形可能部分２６を構成する変形可能材料から作られているロッドに穿孔することによって、ロッド４４が打込工具１０１に係合するので、外科医にとって多軸固定具１２の取り扱いがさらに容易になるだろう。代替的には、打込工具１０１は、ヘッド１４のネジ部に係合することによって多軸固定具１２を捕捉する、ネジ部を含んでいる。据付後、打込工具１０１の歯１０３が、打込工具１０１をボア２２から引き抜くことによってロッド４４から取り外される。このような実施例では、据付中に多軸固定具１２が打込工具１０１から解放される可能性を低減することができる。
【００５９】
また、摩擦保持力に加えて非摩擦保持力を発生させることによって変形可能部分２６の保持力を高めるために、ヘッド１４の頂部分３０、ネック９４、及び／又は底部分３２において表面強化されている場合がある。幾つかの実施例では、頂部分３０、ネック９４、及び／又は底部分３２の表面から突出している突出部が配設されており、変形可能部分２６に接触するようになっている。図１６では、例示にすぎないが、複数のバンプ４８がネック９４に設けられている。図１７では、複数の隆起したバー又はリブ５０が、多軸固定具１２の長手方向において延在しているバンプである。しかしながら、頂部分３０、ネック９４、及び／又は底部分３２には、任意のタイプの表面強化が施されている。上述の開口部及び／又は突出部に加えて、変形可能部分２６に接触しているヘッド１４の表面のうち任意の表面が、凹所２４に対する変形可能部分２６の付着を向上させると共にネック９４に対する変形可能部分２６の滑り及び回転を制限するためのテクスチャを得るために、エンボス加工され、波状に形成され、ローレット加工され、網目状に形成され、又は粗加工されている場合もある。多軸固定具１２のヘッド１４に表面強化が施されることを説明したが、変形可能部材２６の１つ以上の内面にも表面強化が施される場合があることに留意すべきである。
【００６０】
変形可能部分２６の外面は、多軸固定具１２の挿入を容易にするように成形又は形成されている。図１８ａ及び図１８ｂに表わすように、複数のフルート５２が変形可能部分２６の外面の周囲に亘って形成されている。フルート５２は、多軸固定具１２の長手方向軸線１８と位置合わせされていると共に変形可能部分２６に形成された、４つの小さな凹状の窪みとして図示されている。フルート５２は、開口部６０のネジ部６４がさらに容易に変形可能部分２６に切り込み開始可能な導入部（lead-in）として機能する。図１８ａ及び図１８ｂでは、４つのフルート５２が、変形可能部分２６の周面に等間隔で離隔配置されているが、任意の数量のフルート５２が、所望の切断機能及び固定機能を確実に発揮させるために任意の位置に配置されていても良い。
【００６１】
図１９に表わすように、ネジ付開口部６０はフルート５２を有している。特にフルート５２は、ネジ部６４を分断する４つの小さな窪み又は溝として形成されている。フルート５２は、さらに容易に変形可能部分２６に切り込むネジ部６４の鋭角な縁部を備えている。フルート５２は滑らかであり、図１８及び図１９に表わすような輪郭を有しているか、又は例えばＶ字状、四角状や窪みのような任意の他の適切な形状若しくは大きさを有している。図１９では、４つのフルート５２が、ネジ付開口部６０の周面に等間隔で離隔して形成されているが、任意の数量のフルート５２が、所望の切断機能及び固定機能を確実に発揮させるために任意の位置に配置されていても良い。
【００６２】
多軸固定具１２は、骨係合部分を形成するステップ、ネック部分と当該ネック部分の近傍に配設された肩部分とを含むヘッド部分を形成するステップ、変形可能部分をネック部分及び／又は肩部分に接触させるステップ、並びに、非摩擦成分を含む力によって変形可能部分がネック部分及び／若しくは肩部分と接触した状態を維持する保持構造体を準備するステップによって製造される。例えば、骨係合部分を形成するステップとヘッド部分を形成するステップとが、例えばモールディング、マシニング、キャスティング、及び／又は他の製造手法を利用することによって、ステンレス鋼から成る単体物からヘッド１４及びシャフト１６を形成するステップを含んでいる。上述のように、ヘッド１４は、頂部壁９６及びネック部分９４を備えた頂部分３０を含んでいる。骨係合部分を形成するステップとしては、滑らかなシャフト、ネジ付シャフト、ヘリカルブレード、タック、展開可能なかぎ爪、及び／又は膨張要素が挙げられる。
【００６３】
変形可能部分をネック部分及び／又は肩部分と接触させるステップとしては、例えばモールディングプロセスにおいて変形可能材料をヘッド１４に貼り付けるステップが挙げられる。変形可能材料は、例えばポリエーテルエーテルケトン、ポリエーテルケトンケトン、自己強化ポリフェニレン、ポリフェニルスルホン、ポリスルホン、ポリエチレン、超高分子量ポリエチレン、炭素複合材、吸収性ポリ乳酸、及びポリグリコール酸のような１つ以上の材料を含んでいる。他の実施例では、変形可能材料が組立プロセスを介してヘッド１４に貼り付けられる。また、例えば底部分３２のような球状の外面部分が、変形可能部分と骨係合部分との間に形成されている場合がある。例えば、底部分３２はヘッド部分を形成する時に形成され、変形可能材料が頂部分３０と底部分３２との間においてネック９４の周囲に成形される場合がある。
【００６４】
保持構造体を準備するステップは、非円状の断面を含むようにヘッド部分の少なくとも一部分を形成するステップを含んでいる。例えばネック９４は、図１２に表わすように角が丸められた正方形状の断面を含むように形成されており、変形可能部分は、図１３に表わすように当該ネックの断面形状に対応する形状を含むように形成されている。付加的又は代替的には、保持構造体を準備するステップは、例えば穴４６（図１２参照）のようなボア又は貫通孔をヘッド部分に形成するステップ、及び、例えばロッド４４（図１３参照）のようなボア又は貫通孔に係合するための対応する構造体を含むように変形可能部分を形成するステップを含んでいる。さらに付加的又は代替的には、１つ以上の突出部、凹所、及び／若しくは粗い表面テクスチャを備えたネック９４、頂部壁９６、及び／又は底部壁９８を形成するステップ、並びに、１つ以上の対応する構造体を備えた変形可能部分を形成するステップによって、保持構造体が設けられる。例えばネック９４は、バンプ４８及び／又はリブ５０（図１６及び図１７参照）を含むように形成されており、変形可能部分は、ヘッド部分に成形された場合にバンプ及び／又はリブに適合する。溝又は他の表面窪みに係合する対応する突出部を有している変形可能部分が形成されるように変形可能部分をヘッド１４に成形する前に、例えばローレットのような溝又は他の表面窪みがネック９４に設けられている場合がある。
【００６５】
インプラント方法に注目すると、外科医は関心ある手術部位にアクセスする。関心ある手術部位とは、適切な治療を確実に施すために安定させることが必要な骨折部分が存在する体内の部位を意味する。本発明の属する技術分野における当業者には既知であるが、従来の鉗子及び案内具を利用することによって骨折部が整復される。適切な大きさ及び形状の骨プレート５４が骨折部位の上方に配置される。場合によっては、仮固定用ピンを利用することによって骨プレート５４が一時的に骨に固定される。図３３及び図３４に表わす１つ以上の骨プレート５４を利用する場合には、仮固定用ピンが、骨プレート５４の仮固定用穴８６又は任意の他の開口部を貫通させることによって利用される。一時的に骨プレート５４を骨に固定することによって骨プレート５４が骨折部位に確実に位置決めされていることを外科医が確信するために、仮固定が為される。さらに、仮固定することによって、視野内に余計な器具が存在しなくなるので、骨プレート５４のＸ線画像又は他の画像を鮮明に撮影することができる。
【００６６】
利用の一例では、外科医は、骨折部の片側又は両側において非固定用ネジ９０をネジ付開口部６０、ネジ無開口部８０、又は他の開口部に挿入し、骨プレート５４を骨に対して押し付ける。その後に、図３２に表わすように、外科医は、多軸固定具１２を利用することによって、主要な骨折部から移動又は分離した任意の骨片をさらに固定する。
【００６７】
外科医は、多軸固定具１２を利用する場合には、多軸固定具１２を挿入するための挿入角度２８を特定する。また、図３３及び図３４に表わすように、骨プレート５４が複数のネジ付開口部６０を含んでいる場合には、外科医は、利用すべきネジ付開口部６０を選定する。所望の挿入角度２８及びネジ付開口部６０を選定した後に、外科医は、先端部２０が骨材に接触するまでネジ付開口部６０を通じて多軸固定具１２のシャフト１６を挿入する。場合によっては、多軸固定具１２の骨に対する初期のネジ切り及び／又は挿入を容易にするために、挿入角度２８に沿って骨に穿孔又はネジ切りをするための穴が必要とされる。その後に、多軸固定具１２を所定位置に操作し、挿入に必要な圧力を作用させるために、外科医は、適切な打込工具をヘッド１４のボア２２に利用する。
【００６８】
図３２に表わすように、多軸固定具１２が開口部６０の中心軸線６２と一致する角度以外の角度で挿入されるので、多軸固定具１２は、中心軸線６２と一致しない骨片を把持又は固定するために利用される。外科医は、移動された骨片を所望の位置に固定するために及び引き込むために、多軸固定具１２を係留するか又は移動させる。
【００６９】
骨片が所望の位置に移動されると、多軸固定具１２は、骨プレート５４に固定するための準備が整う。多軸固定具１２がさらに骨内に押し込まれると、多軸固定具１２は骨プレート５４内に引き込まれ、ネジ付開口部６０内のネジ部６４が上述のように変形可能部分２６に切り込まれ、変形可能部分２６を変形させる。必要であれば、外科医は、変形可能部分２６の損傷を防止するために、過剰な大きさのトルクが多軸固定具１２に確実に作用しないようにトルクリミッタを利用する場合がある。場合によっては、その後に、外科医は、付加的な多軸固定具１２、従来の固定具８８、及び／又は非固定用ネジ９０を骨プレート５４の他の穴に利用する。これによって、必要に応じて骨プレート５４を骨折部にさらに固定することが補助される。
【００７０】
外科医は多軸固定具１２又は従来の固定具８８若しくは非固定用ネジ９０を任意の望ましい順序で挿入しても構わないことに留意すべきである。例えば多軸固定具１２は、軸線方向において骨片を骨プレート５４に対して圧縮及び／又は移動させるために利用される。特に外科医は、非固定用ネジ９０を骨折部の第１の側面の開口部に挿入し、これにより骨プレート５４を骨に押し付ける。その後に、外科医は、図１〜図７に表わす多軸固定具１２をネジ無開口部８０又は加圧される傾斜部を含む頂部分７２を有しているネジ付開口部６０に挿入する。多軸固定具１２が加圧される傾斜部に沿って移動することによって、骨プレート５４と下方に位置する骨片とが相対的に移動し、これにより骨片が所望の位置に移動される。最後に、外科医は、付加的な多軸固定具１２及び／又は従来の固定ネジ８８及び／又は非固定用ネジ９０を骨プレート５４の他の開口部に利用することによって、骨プレート５４を骨折部にさらに固定する。様々な固定具の様々な挿入順序を含む方法を含んでいる様々な方法について、本明細書にて説明している。本明細書は、特定のステップのみを有する方法、及び／又は、特定の順序で実施されるステップのみを有する方法に限定することを意図する訳ではない。
【００７１】
場合によっては、すべての所望の多軸固定具１２及び／又は他の固定具が挿入されると、特に骨折部を跨いでいる利用していない開口部が存在する場合には、骨プレート５４の強度を高めるために、外科医は、骨プレートの利用しない開口部の上にカバー（図示しない）を掛ける場合がある。付加的又は代替的には、外科医は、骨の治療を補助するために、骨移植材料、骨セメント、骨腔充填材、及び／又は任意の他の材料を利用する場合がある。
【００７２】
上述のように、多軸固定具１２と共に利用するための骨プレート５４には、本願において説明又は図示された穴又は開口部を含む、任意の数量又は種類の穴又は開口部が形成されている。しかしながら、これら穴又は開口部は、本願において開示又は図示された穴又は開口部に限定される訳ではない。さらに、骨プレート５４は、多軸固定具１２と固定用ネジ及び／又は非固定用ネジとを含む、複数の異なるタイプの固定具と共に利用される場合もある。説明を簡単にするために、本明細書に開示される多軸固定具１２は、ネジ付開口部６０と共に利用することを目的として説明されている。しかしながら、当然ながら、多軸固定具１２は、ネジ付開口部６０と共に利用されることに限定される訳ではない。そうではなく、多軸固定具１２は、ネジ無開口部８０を含む任意のタイプの開口部と共に利用可能とされる。多軸固定具１２と他の固定具との異なる組み合わせが、様々な開口部内で利用され、所望の順序で挿入可能とされる。従って、本明細書にて説明されるシステム１０は、（１）多軸固定具１２又は他のタイプの固定具と共に利用可能な骨プレート５４と、（２）様々な異なるタイプの骨プレートに形成された様々な異なるタイプの開口部内で利用可能な多軸固定具１２とを準備することによって、骨折部を固定するための選択肢を外科医に提供する。
【００７３】
上述の説明は、図解することを目的として提示されているにすぎず、網羅的にすべてを示すことを意図する訳でもなく、本願の開示内容を上述の精密な実施例に限定することを意図する訳でもない。上記説明及び図面にて示した構造及び方法に対する多くの改良及び変更が、上述の開示内容及び特許請求の範囲の技術的範囲及び技術的思想から逸脱することなく実施可能である。実施例は、特定用途に適合した様々な改良を含む構造及び方法が当業者によって確立及び利用することができるように、上述の構造及び方法の原理並びに実践的な利用を説明するために選定及び説明されている。代替的な構造及び方法は、本発明の技術的思想及び技術的範囲から逸脱することなく、本発明に関連する当業者にとって明白であるだろう。
【符号の説明】
【００７４】
１０  システム
１２  多軸固定具
１４  ヘッド
１６  シャフト
１８  長手方向軸線
２０  先端部
２２  ボア
２４  凹所
２６  変形可能部分
２８  挿入角度
３０  頂部分
３２  底部分
３４  内面
３６  半径
３８  中心
４０  ネジ付インターフェース
４４  ロッド
４６  穴
４８  バンプ
５０  リブ
５２  フルート
５４  骨プレート
５６  骨接触面
５８  上面
６０  ネジ付開口部
６２  中心軸線
６４  ネジ部
６６  隆起部
６８  バンプ
７０  フィン
７２  頂部分
７４  凹状部分
７６  傾斜部
７８  底部分
８０  開口部
８４  スロット
８６  仮固定用穴
８８  従来の固定具
９０  非固定用ネジ
９２  開口部
９４  ネック
９６  頂部壁
９８  底部壁
１００  接線
１０１  打込工具
１０３  歯
【図１】
2015180258.tif 000003
【図２】
2015180258.tif 000004
【図３】
2015180258.tif 000005
【図４】
2015180258.tif 000006
【図５】
2015180258.tif 000007
【図６】
2015180258.tif 000008
【図７】
2015180258.tif 000009
【図８ａ】
2015180258.tif 000010
【図８ｂ】
2015180258.tif 000011
【図９ａ】
2015180258.tif 000012
【図９ｂ】
2015180258.tif 000013
【図１０】
2015180258.tif 000014
【図１０ａ】
2015180258.tif 000015
【図１１】
2015180258.tif 000016
【図１２】
2015180258.tif 000017
【図１３】
2015180258.tif 000018
【図１４】
2015180258.tif 000019
【図１５】
2015180258.tif 000020
【図１６】
2015180258.tif 000021
【図１７】
2015180258.tif 000022
【図１８ａ】
2015180258.tif 000023
【図１８ｂ】
2015180258.tif 000024
【図１９】
2015180258.tif 000025
【図２０】
2015180258.tif 000026
【図２１】
2015180258.tif 000027
【図２２】
2015180258.tif 000028
【図２３】
2015180258.tif 000029
【図２４】
2015180258.tif 000030
【図２５】
2015180258.tif 000031
【図２６】
2015180258.tif 000032
【図２７】
2015180258.tif 000033
【図２８】
2015180258.tif 000034
【図２９】
2015180258.tif 000035
【図３０】
2015180258.tif 000036
【図３１】
2015180258.tif 000037
【図３２】
2015180258.tif 000038
【図３３】
2015180258.tif 000039
【図３４】
2015180258.tif 000040
【手続補正書】
【提出日】平成27年6月5日(2015.6.5)
【手続補正１】
【補正対象書類名】特許請求の範囲
【補正対象項目名】全文
【補正方法】変更
【補正の内容】
【特許請求の範囲】
【請求項１】
骨と係合するための固定具であって、
骨係合部分と、
ヘッド部分と、
前記ヘッド部分に接触している変形可能部分であって、前記固定具が安定化構造部の１つ以上の固定具係合構造部に係合した場合に変形する材料を含んでいる前記変形可能部分と、
非摩擦成分を含む力によって前記ヘッド部分と接触した状態で前記変形可能部分を保持する保持構造部と、
を備えていることを特徴とする固定具。
【外国語明細書】
2015180258000001.pdf